(57)【要約】【課題】特定範囲のみの確認印刷において、本出力と同じ用紙を使用してインデックス紙の印刷を行うことを可能にする。【解決手段】本文用紙とインデックス用紙とをそれぞれ収納可能な複数の給紙トレイと、用紙に画像形成を行う画像形成部と、用紙が排紙される排紙部と、給紙トレイから用紙を給紙して画像形成部および排紙部に搬送する給紙搬送部と、画像形成、用紙の給紙および搬送を制御する制御部を備え、本出力前にジョブの確認印刷を行う確認印刷機能を有し、確認印刷機能でジョブ中の特定範囲のページのみを印刷する場合、確認印刷でインデックス用紙が印刷される前に、特定範囲よりも前のページで使用する印刷対象外のインデックス用紙を前記給紙トレイから給紙して排紙部に排紙することで、確認印刷を本出力と同じ用紙を用いて行うことを可能にする。【選択図】図６
2011235591.tif 000002
【特許請求の範囲】
【請求項１】
本文用紙とインデックス用紙とをそれぞれ収納可能な複数の給紙トレイと、用紙に画像形成を行う画像形成部と、用紙が排紙される排紙部と、前記給紙トレイから用紙を給紙して画像形成部および排紙部に搬送する給紙搬送部と、前記画像形成、前記用紙の給紙および搬送を制御する制御部と、を備え、
前記制御部は、本出力前にジョブの確認印刷を行う確認印刷機能を有し、該確認印刷機能でジョブ中の特定範囲のページのみを印刷する場合、前記確認印刷でインデックス用紙が印刷される前に、前記特定範囲よりも前のページで使用する印刷対象外のインデックス用紙を前記給紙トレイから給紙して前記排紙部に排紙する制御を行うことを特徴とする画像形成装置。
【請求項２】
前記制御部は、前記確認印刷機能でジョブ中の特定範囲のページのみを印刷する場合、前記確認印刷前に、前記特定範囲よりも前のページで使用する印刷対象外のインデックス用紙を前記給紙トレイから給紙して前記排紙部に排紙する制御を行うことを特徴とする請求項１記載の画像形成装置。
【請求項３】
前記制御部は、前記印刷対象外のインデックス用紙の排紙に際し、前記画像形成を行うことなく未印刷のまま排紙する制御を行うことを特徴とする請求項１または２に記載の画像形成装置。
【請求項４】
前記制御部は、前記印刷対象外のインデックス用紙を排紙した後、前記特定範囲のページにインデックス用紙を使用するページがある場合、本出力と同じインデックス用紙を前記給紙トレイから給紙して前記特定範囲のページを確認印刷する制御を行うことを特徴とする請求項１〜３のいずれか１項に記載の画像形成装置。
【請求項５】
前記制御部は、前記印刷対象外のインデックス用紙と前記確認印刷がされた用紙とを区別して排紙することを特徴とする請求項１〜４のいずれか１項に記載の画像形成装置。
【請求項６】
前記制御部は、前記印刷対象外のインデックス用紙と前記確認印刷がされた用紙とを別の排紙部に排紙することを特徴とする請求項５記載の画像形成装置。
【請求項７】
前記制御部は、前記ジョブのページ情報を先頭から順番に参照し、前記確認印刷において前記特定範囲の前のページで使用されるインデックス用紙の枚数を算出し、該枚数に従って、前記印刷対象外のインデックス用紙を排紙をする制御を行うことを特徴とする請求項１〜６のいずれか１項に記載の画像形成装置。
【請求項８】
前記制御部は、インデックス用紙使用ページのページ情報作成時に、対象ジョブで使用される何番目のインデックス用紙であるかというインデックス順番情報を付加しておき、確認印刷時に該インデックス順番情報を参照して、前記インデックス順番情報に基づいて、前記印刷対象外のインデックス用紙を排紙をする制御を行うことを特徴とする請求項１〜７のいずれか１項に記載の画像形成装置。
【請求項９】
前記制御部は、前記確認印刷における前記特定範囲にインデックス用紙を使用するページが含まれない場合、印刷対象外のインデックス用紙を排紙する前記制御を行うことなく前記特定範囲の確認印刷を行うことを特徴とする請求項１〜８のいずれか１項に記載の画像形成装置。
【請求項１０】
前記制御部は、前記特定範囲での確認印刷後、前記特定範囲よりも印刷順序が後のページで使用するインデックス用紙を前記給紙トレイから給紙して前記画像形成を行うことなく前記排紙部に排紙する制御を行うことを特徴とする請求項１〜９のいずれか１項に記載の画像形成装置。
【請求項１１】
前記インデックス用紙がタブ紙であることを特徴とする請求項１〜１０のいずれか１項に記載の画像形成装置。
【発明の詳細な説明】
【技術分野】
【０００１】
この発明は、インデックス用紙を使用するページを含むジョブの確認印刷を行うことができる画像形成装置に関するものである。
【背景技術】
【０００２】
従来、画像データを用いて画像を形成し、該画像を用紙に転写して出力する画像形成装置においては、ユーザにおいて印刷条件の設定が可能になっている。印刷条件としては、出力部数、片面、両面印刷の別や、印刷用紙サイズ、コピー倍率、コピー濃度、さらにステイプル、パンチなどの後処理方法等が挙げられる。このように印刷条件を設定した場合、ユーザは自分の意図している出力形態が得られるか否かを確認して、確認の結果、自分の意図するものと異なる場合には、印刷条件の再設定や修正を行いたいという要望がある。
従来、このような観点から、通常の出力を行う前などに、ユーザによる確認のための出力を可能にした画像形成装置が提案されており、上記確認のための出力機能を確認印刷などと称している。
また、最近では、ジョブ中の特定範囲のページを指定して前記確認印刷を行えるようにした画像形成装置も実現されている（例えば特許文献１参照）。
【先行技術文献】
【特許文献】
【０００３】
【特許文献１】特開２００９−３９８９８号公報
【発明の概要】
【発明が解決しようとする課題】
【０００４】
ところで、画像形成装置の印刷では、インデックス用紙を含むジョブの印刷を行う場合があり、この場合、前記確認印刷でもインデックス用紙を本出力と同様に印刷して確認を行いたいという要望がある。そして、インデックス用紙を含むジョブの本出力の途中で特定範囲のページのみで確認印刷を行うと、インデックス用紙は順番に給紙トレイに収納されているため、本出力と同じ順番でインデックス用紙が使用される。
なお、確認印刷後に給紙トレイに残ったインデックス用紙は、確認印刷がされなかったインデックス用紙が残った順番になっており、本出力で使用されるインデックス用紙の順番とは異なっている。これをそのままにして本出力を行うと、本出力と異なる形態でインデックス用紙が使用されて印刷されてしまう。これに対し、前記特許文献１の画像形成装置では、本出力の開始前に、インデックス用紙が収納されている給紙トレイから特定範囲の確認印刷を行った結果、余剰となったインデックス用紙を前記確認印刷とは別排出先に排出することにより、本出力で使用するインデックス用紙を確認印刷で使用したのと同じ用紙とすることを可能にしている。
【０００５】
しかし、上記画像形成装置は、出力途中で確認印刷を行うことを前提としているため、本出力前に特定範囲のページの確認印刷を行う際には、インデックス用紙が収納されている給紙トレイでは確認印刷を行う順序でインデックス用紙が積載されておらず、本出力と同じ用紙で確認印刷を行うことができないという問題がある。
【０００６】
上記の状態を図１０に基づいて説明する。インデックス用紙を積載した給紙トレイでは、（ａ）に示すようにインデックス用紙がタブ１〜タブ５となるように順序付けされて積載されており、本出力では積載された順序で適時インデックス用紙が給紙されて使用される。（ｂ）は、本文にインデックス用紙を挿入して印刷する印刷順序を示しており、この例では、３頁目（タブ１）、５頁目（タブ２）、７頁目（タブ３）に順次インデックス用紙が使用されている。この際に、確認印刷としてジョブ中の４頁目と５頁目を印刷する場合について説明する。本出力では（ｂ）に示すように本文と、給紙トレイに２番目に収納されているタブ２のインデックス用紙が順次印刷される。一方、確認印刷では、（ｃ）に示すように本文と先頭にあるインデックス用紙が順次印刷される。しかし、先頭のインデックス用紙はタブ１の用紙であり、本出力とは異なるインデックス用紙が使用され、確認印刷としての目的を達成することが難しくなってしまう。
【０００７】
本願発明は、上記事情を背景としてなされたものであり、特定範囲の確認印刷時に、インデックス用紙トレイの先頭用紙と印刷対象ページが本出力時に使用する用紙と異なる状態であっても、本出力で使用される用紙で確認印刷を行うことを可能にすることを目的とする。
【課題を解決するための手段】
【０００８】
すなわち、本発明の画像形成装置は、本文用紙とインデックス用紙とをそれぞれ収納可能な複数の給紙トレイと、用紙に画像形成を行う画像形成部と、用紙が排紙される排紙部と、前記給紙トレイから用紙を給紙して画像形成部および排紙部に搬送する給紙搬送部と、前記画像形成、前記用紙の給紙および搬送を制御する制御部と、を備え、
前記制御部は、本出力前にジョブの確認印刷を行う確認印刷機能を有し、該確認印刷機能でジョブ中の特定範囲のページのみを印刷する場合、前記確認印刷でインデックス用紙が印刷される前に、前記特定範囲よりも前のページで使用する印刷対象外のインデックス用紙を前記給紙トレイから給紙して前記排紙部に排紙する制御を行うことを特徴とする。
【０００９】
上記インデックス用紙は順序付けされて給紙トレイに収納されており、確認印刷が行われる特定範囲よりも前のページで使用されるインデックス用紙を確認印刷対象外として給紙トレイから給紙して排紙部に排紙する。これにより、インデックス用紙給紙トレイの先頭以降のインデックス用紙を本出力で印刷するインデックス用紙と同じ順序にして印刷することができ、確認印刷を本出力に即した形で行うことができる。なお、本出力は、確認印刷と異なる通常の印刷を意味している。
【００１０】
前記印刷対象外のインデックス用紙の排紙は、前記確認印刷でインデックス用紙が印刷される前に行われればよく、通常は確認印刷前に排紙処理がされる。
印刷対象外のインデックス用紙の排紙は、その後に排紙される確認印刷の用紙と区別されるように排紙するのが望ましい。その１つの方法として、複数の排紙部を有する場合、印刷対象外のインデックス用紙と確認印刷された用紙とを別の排紙部に排紙する。
また、印刷対象外のインデックス用紙と確認印刷された用紙とを同一の排紙部に排紙する場合にも、排紙部幅方向に排紙位置を変えるシフト排紙や区切り紙を挿入するなどして両者を区別して配することができる。
また、印刷対象外のインデックス用紙を排紙部に搬送して排紙する際には、画像形成部での画像形成を行うことなく未印刷の状態で排紙することができる。これにより無駄な画像形成を行う必要がない。但し、本発明としては画像形成を行って排紙することを排除するものではなく、所望により適宜の画像形成を行って排紙するようにしてもよい。
【００１１】
なお、印刷対象外のインデックス用紙を給紙、搬送、排紙する際には、必要枚数分が対象になる。この枚数は、ジョブの先頭ページからページ情報を参照し、特定範囲に至るまでのインデックス用紙を算出することで把握することができる。
また、インデックス用紙使用ページのページ情報作成時に、対象ジョブで使用される何番目のインデックス用紙であるかというインデックス順番情報を付加し、このインデックス順番情報に基づいて、印刷対象外のインデックス用紙を排紙するようにしてもよい。
具体的には特定範囲に含まれる先頭の［インデックス用紙の順番情報−１］枚分だけ排紙する。
【００１２】
確認印刷に際し前記特定範囲のページにインデックス用紙を使用するページが含まれない場合、印刷対象外のインデックス用紙を排紙することなく、通常の確認印刷を直ちに行うことができる。
【００１３】
印刷対象外のインデックス用紙を排紙し、特定範囲のページの確認印刷を行った後は、給紙トレイに残った余剰のインデックス用紙を上記と同様に給紙、搬送および排紙を行って、給紙トレイの先頭インデックス用紙を本出力におけるインデックス用紙の先頭ページに合わせることで、本出力通りの用紙で印刷を行うことができる。したがって、特定範囲のページのみを確認印刷をしても、本印刷に際しては、設定通りで用紙に印刷が施される。
【００１４】
インデックス用紙とは、所望により本文の内容の要約等が記載され、一般に、インデックス用紙としてはタブと呼ばれる突出部を有する用紙を指す。該インデックス用紙は、順序付けして給紙トレイに収納される。
【発明の効果】
【００１５】
すなわち、本発明によれば、本文用紙とインデックス用紙とをそれぞれ収納可能な複数の給紙トレイと、用紙に画像形成を行う画像形成部と、用紙が排紙される排紙部と、前記給紙トレイから用紙を給紙して画像形成部および排紙部に搬送する給紙搬送部と、前記画像形成、前記用紙の給紙および搬送を制御する制御部と、を備え、
前記制御部は、本出力前にジョブの確認印刷を行う確認印刷機能を有し、該確認印刷機能でジョブ中の特定範囲のページのみを印刷する場合、前記確認印刷でインデックス用紙が印刷される前に、前記特定範囲よりも前のページで使用する印刷対象外のインデックス用紙を前記給紙トレイから給紙して前記排紙部に排紙する制御を行うので、インデックス紙について本出力で使用される用紙で確認印刷を行うことができる。これによりタブ耳部へ印刷を行う場合に、確認印刷で不正な位置に印刷が行われることを防ぐこともできる。また確認出力時にタブ耳部の印刷画像を確認でき、確認出力時にインデックス用紙の耳位置と印刷される画像の関係を確認できるという効果が得られる。
【図面の簡単な説明】
【００１６】
【図１】本発明の一実施形態における画像形成装置全体の中央断面図を示す図である。
【図２】同じく、画像形成システム全体の回路ブロックを示す
【図３】同じく、確認印刷設定画面を示す図である。
【図４】同じく、インデックス用紙設定画面を示す図である。
【図５】同じく、ページ単位設定画面を示す図である。
【図６】同じく、確認印刷時の全体フローを示す図である。
【図７】同じく、不要なインデックス用紙の排紙手順を示すフロー図である。
【図８】同じく、不要なインデックス用紙の排紙手順に用いられるインデックス用紙順番情報を説明する図である。
【図９】同じく、確認印刷による印刷結果を示す図である。
【図１０】従来技術における確認印刷の動作例を示す図である。
【発明を実施するための形態】
【００１７】
以下に、本発明の一実施形態を添付図面に基づいて説明する。
図１は、画像形成装置全体の中央断面図であり、機械的な構成を示している。以下に、その構成を説明する。
画像形成装置１は、デジタル複合機１ａと後処理装置（ＦＮＳ）１８０とを備えており、画像形成装置１の上部側に、スキャナ部１３０、流し込みｔｙｐｅ自動原稿給送装置（ＡＤＦ）１３５が設けられており、プラテンガラス１３７またはＡＤＦ原稿読み取り用スリットガラス１３８を通して原稿の画像読取が可能になっている。
上記したスキャナ部１３０、流し込みｔｙｐｅ自動原稿給送装置（ＡＤＦ）１３５、プラテンガラス１３７、ＡＤＦ原稿読み取り用スリットガラス１３８などにより、画像読込部が構成されている。
また、画像形成装置１の上部側で、プラテンガラス１３７が位置しない箇所に、タッチパネルからなる操作部１４０が設けられて、操作者による操作および情報の表示が可能になっている。
【００１８】
画像形成装置１の下部側には、複数の給紙トレイ（１−３）１６０（図では３段）が配置され、さらに画像形成装置１に付設するようにして同じく給紙トレイとなる大容量給紙トレイ１６１が配置されている。デジタル複合機１ａ内には、給紙トレイから給紙される用紙を搬送する搬送路、第２給紙ローラー１６２などが設けられている。上記給紙トレイに設けられる給紙ローラー、上記搬送路、第２給紙ローラー１６２などによって本発明の給紙搬送部が構成されている。該搬送路途中には、帯電器１５２、ＬＤ部１５３、感光体１５４、現像器１５５、転写部１５６、定着器１５７、クリーニング部１５８などで構成される画像形成部１５１が設けられている。
上記画像形成部１５１、給紙トレイ（１−３）１６０、大容量給紙トレイ１６１、給紙ローラー、搬送路、第２給紙ローラー１６３などによって、本発明のプリンタ部１５０が構成されている。
【００１９】
帯電器１５２、現像器１５５、転写部１５６は、感光体１５４の周囲に配置されている。帯電器１５２は、画像書込み前に感光体１５４の表面を一様に帯電する。ＬＤ部１５３は、表面が一様に帯電された感光体１５４に半導体レーザを照射することにより感光体１５４に静電潜像を形成する。現像器１５５は、ＬＤ部１５３によって感光体１５４に形成された静電潜像をトナー部材によって現像する。この現像処理によって感光体１５４にトナー画像が形成される。転写部１５６は、給紙トレイ（１−３）１６０や大容量給紙トレイ１６１から搬送されてきた用紙に感光体１５４のトナー画像を転写する。トナー像が転写された用紙は、感光体１５４から分離されて定着器１５７に搬送される。感光体１５４に残留したトナー部材は、クリーニング部１５８によって除去される。
【００２０】
定着器１５７は、搬送された用紙を加熱することにより用紙の表面側に転写されたトナー画像を定着する。定着処理が施された用紙は、片面印刷の場合にはそのまま後処理装置（ＦＮＳ）１８０に搬送される。後処理装置（ＦＮＳ）１８０では、ステイプル、パンチ、断裁などが行われる。一方、両面印刷の場合には、定着後の用紙がスイッチバックされて当該用紙の裏面側に画像形成部１５１で所定の画像が転写される。そして、両面に画像が形成された用紙は定着後に後処理装置（ＦＮＳ）１８０に搬送される。後処理装置（ＦＮＳ）１８０には、排紙部として第１排紙口１８２と第２排紙口１８３とを備えている。
画像形成装置１は、デジタル複合機１ａと上記後処理装置（ＦＮＳ）１８０とを備えており、第１排紙口１８２と第２排紙口１８３は本発明の排紙部に相当する。
【００２１】
図２は、デジタル複合機（コピア、プリンタ、スキャナ）１ａを含む画像形成システムの回路ブロックを示す図であり、その内容を以下に詳細に説明する。
デジタル複合機１ａは、画像制御部１１０とスキャナ部１３０と操作部１４０とプリンタ部１５０とを有するデジタルコピア本体と、ＬＡＮ３を通して外部機器である端末Ａ、Ｂから入力される画像データを処理し、またはスキャナ部１３０で得た画像データを、ＬＡＮ３を通して端末Ａ、Ｂに転送可能にする画像処理手段１７０とを備えている。
【００２２】
画像制御部１１０には前記画像処理手段１７０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリ１２１とページメモリ１２２とからなる画像メモリ１２０が接続されている。圧縮メモリ１２１は、圧縮画像データを格納するためのメモリであり、ページメモリ１２２は、画像形成前にプリント対象の非圧縮画像データを一時的に格納するためのメモリである。
【００２３】
上記画像処理手段１７０で取得される画像データは、プリント動作に伴ってＰＣＩバス１１２を通してＤＲＡＭ制御ＩＣ１１１へと送信される。また、ＤＲＡＭ制御ＩＣ１１１には、ＬＡＮインターフェース１１８を介して前記したＬＡＮ３が接続されており、端末Ａ、Ｂなどの外部機器との間で通信が可能になっている。
【００２４】
また、画像制御部１１０には、画像制御ＣＰＵ１１３を備えており、該画像制御ＣＰＵ１１３に前記ＤＲＡＭ制御ＩＣ１１１が接続されている。
また、画像制御ＣＰＵ１１３には、フラッシュメモリなどにより構成される不揮発メモリ１１５が接続されている。該不揮発メモリ１１５には、画像形成装置１の初期印刷設定情報や、プロセス制御パラメータ等の機械設定情報、ユーザ設定値、出力設定の初期データなどが格納されている。
【００２５】
画像制御ＣＰＵ１１３は前記不揮発メモリ１１５の不揮発データを読み取り可能であり、また、所望のデータを不揮発メモリ１１５に書き込むことが可能である。
画像制御ＣＰＵ１１３は、上記機械設定情報や印刷設定情報などに従って画像形成装置１の各部を動作制御する。画像制御ＣＰＵ１１３は、画像形成装置１全体を制御するものであり、上記不揮発メモリ１１５などとともに本発明の制御部を構成する。制御部は、圧縮メモリ１２１に格納されたジョブの設定、予約、実行等の管理制御を行い、ジョブの通常印刷の他、確認印刷が可能になっている。確認印刷は、ジョブ全体または特定範囲のページで印刷が可能になっている。
【００２６】
次に、前記スキャナ部１３０は、光学読み取りを行うＣＣＤ１３１と、スキャナ部１３０全体の制御を行うスキャナ制御部１３２とを備えている。スキャナ制御部１３２は、前記画像制御ＣＰＵ１１３とシリアル通信可能に接続されている。また、前記ＣＣＤ１３１は、該ＣＣＤ１３１で読み取った画像データを処理する読み取り処理部１１６に接続され、該読み取り処理部１１６は、圧縮ＩＣ１１７を介して前記したＤＲＡＭ制御ＩＣ１１１に制御可能に接続されている。
【００２７】
前記操作部１４０は、表示部と入力部とを兼ね、タッチパネルで構成されるＬＣＤ１４１と、操作部全体を制御する操作部制御部１４２とを備えており、該操作部制御部１４２は前記画像制御ＣＰＵ１１３にシリアル通信可能に接続されている。操作部１４０では、画像制御ＣＰＵ１１３の制御を受けて、ＬＣＤ１４１によって、画像形成装置１における印刷設定や動作制御条件などの機械設定入力、出力に関する設定入力、各給紙トレイの用紙情報（サイズ、紙種）の設定入力や、設定内容の表示などの所望の情報等の表示などが可能になっている。さらには、確認出力の設定操作や確認出力の実行指示操作や確認出力から本出力への移行の指示操作などが可能になっている。
【００２８】
また、前記ＤＲＡＭ制御ＩＣ１１１には、画像データを圧縮する圧縮ＩＣ１１７、伸長する伸長ＩＣ１２５が接続されている。
伸長ＩＣ１２５に接続された書き込み処理部１２６は、プリンタ部１５０のＬＤ１５３などを備える画像形成部１５１に接続され、ＬＤ部１５３の動作に用いられる書き込みデータの処理を行う。
プリンタ部１５０は、上記画像形成部１５１の他、給紙トレイ（１−３）１６０、大容量給紙トレイ１６１、搬送路や二次給紙ローラー１６２を備える給紙搬送部などにより構成される。
また、プリンタ部１５０は、プリンタ部１５０の全体（給紙、画像形成、排紙、後処理など）を制御するプリンタ制御部１５９を備えており、プリンタ制御部１５９は前記した画像制御ＣＰＵ１１３に接続されている。プリンタ制御部１５９は画像制御ＣＰＵ１１３の制御指令に従って動作してプリンタ部１５０を制御する。
【００２９】
また、上記のように前記ＤＲＡＭ制御ＩＣ１１１が接続されたＰＣＩバス１１２には、前記画像処理手段１７０のＤＲＡＭ制御ＩＣ１７１が接続されている。前記画像処理手段１７０は、画像形成装置をネットワークプリンタやネットワークスキャナとして使用する場合に、ＬＡＮ３に接続される端末Ａ、Ｂなどから画像データ等をデジタル複合機１ａで受信したり、スキャナ部１３０で取得した画像データをＬＡＮ３に接続される端末Ａ、Ｂなどに送信したりするものである。画像処理手段１７０では、ＤＲＡＭ制御ＩＣ１７１に、ＤＲＡＭなどで構成される画像メモリ１７２が接続されている。また、画像処理手段１７０では、共通バスに前記ＤＲＡＭ制御ＩＣ１７１と、画像処理手段１７０全体の制御を行うコントローラ制御ＣＰＵ１７３、ＬＡＮインターフェース１７５が接続されている。ＬＡＮインターフェース１７５は、ＬＡＮ３に接続されている。
【００３０】
次に、上記画像形成装置１の基本的動作について説明する。
先ず、画像形成装置１において画像データを蓄積する手順について説明する。
第１に画像形成装置１において、スキャナ部１３０で画像を読み取り画像データを生成する場合について説明する。スキャナ部１３０において原稿からＣＣＤ１３１により画像を光学的に読み取る。この際には、画像制御ＣＰＵ１１３から指令を受けるスキャナ制御部１３２によってＣＣＤ１３１の動作制御を行う。原稿の読み取りは、流し込みｔｙｐｅ自動原稿給送装置（ＡＤＦ）１３５によって原稿を給送しつつ行ってもよく、また、プラテンガラス１３７上に原稿を置いて行ってもよい。
【００３１】
画像制御ＣＰＵ１１３はプログラムによって動作し、操作部１４０による操作に基づいてスキャナ部１３０への指令を発行する。ＣＣＤ１３１で読み取られた画像は、読み取り処理部１１６でデータ処理がなされ、データ処理された画像データは、ＤＲＡＭ制御ＩＣ１１１を介して圧縮ＩＣ１１７に送られて所定の方法によって圧縮される。圧縮されたデータは、ＤＲＡＭ制御ＩＣ１１１を介して圧縮メモリ１２１に格納される。
【００３２】
この他に画像データは、ＬＡＮ３を介してデジタル複合機１ａに入力される。上記画像データとしては、例えば端末Ａ、Ｂなどのアプリケーションプログラム等により生成されたものや他の画像形成装置により生成されたものが挙げられる。該データは、ＬＡＮ３、ＬＡＮインターフェース１７５を介して画像処理手段１７０で受信され、ＤＲＡＭ制御ＩＣ１７１によって画像メモリ１７２に一旦格納される。上記画像メモリ１７２に格納されたデータは、ＰＣＩバス１１２を介してＤＲＡＭ制御ＩＣ１１１に転送され、伸長ＩＣ１２５に一旦格納される。伸長ＩＣ１２５に格納されたデータは、ＤＲＡＭ制御ＩＣ１１１を介して圧縮ＩＣ１１７に送られて圧縮処理され、ＤＲＡＭ制御ＩＣ１１１を介して圧縮メモリ１２１に格納される。
【００３３】
次に、画像形成装置１で画像出力を行う場合、圧縮メモリ１２１に格納されているデータは、ＤＲＡＭ制御ＩＣ１１１を介して伸長ＩＣ１２５に送出してデータを伸長する。伸長したデータはＤＲＡＭ制御ＩＣ１１１を介して書き込み処理部１２６に送出して書き込みデータを生成し、ＬＤ部１５３において感光体１５４への書き込みを行う。
【００３４】
プリンタ部１５０では、画像制御ＣＰＵ１１３の指令を受けたプリンタ制御部１５９によって給紙トレイ（１−３）１６０、大容量給紙トレイ１６１、搬送路などの各部の制御が行われる。プリンタ部１５０において、画像形成、用紙への転写、定着、搬送路による後処理装置（ＦＮＳ）１８０への搬送、後処理装置（ＦＮＳ）１８０での後処理などが順次行われて印刷出力が行われ、排紙先制御によって第１排紙口１８２や第２排紙口１８３に排紙される。
確認印刷を行う際には、画像制御ＣＰＵ１１３によって制御される操作部１４０の操作画面などにおいてユーザによる確認印刷指示がなされる。その際には、全ジョブページの確認印刷、特定範囲のページの確認印刷などを指定することができる。
【００３５】
図３は、確認印刷を指示する際の設定画面１４００を示すものである。該確認印刷設定画面１４００は、操作部１４０のＬＣＤ１４１に操作可能に表示されるものである。
確認印刷設定画面１４００では、全ページ印刷指示釦１４０１と特定範囲ページ指示釦１４０２とが押釦可能に表示される。全ページ釦１４０１を押釦してＯＫ釦１４０５を押釦すると、全ページでの確認印刷が実行される。一方、特定範囲ページ釦１４０２を押釦すると、ページ範囲指定のために開始ページ欄１４０３、終了ページ欄１４０４への数値入力が可能になる。数値入力は、上記ページ欄が選択されると、テンキーを操作可能に表示するなどして入力を可能にする。ＯＫ釦１４０５の押釦によって特定範囲での確認コピー選択が確定する。また、キャンセル釦１４０６を押釦することで、設定内容をキャンセルすることができる。
【００３６】
なお、確認印刷でインデックス紙を使用して印刷するか否かの設定を可能にしてもよい。該設定は例えば予め初期設定として定めておき、該初期設定は、前記不揮発メモリ１１５に読み出し可能に格納しておく。また、各種設定画面や上記確認印刷設定画面１４００で設定可能にしてもよい。
また、特定範囲ページの確認印刷を行う場合に、印刷対象外のインデックス紙を排紙して確認印刷を行うか否かの設定を可能にしてもよい。該設定は例えば予め初期設定として排紙有りに定めておき、該初期設定は、前記不揮発メモリ１１５に読み出し可能に格納しておく。また、各種設定画面や上記確認印刷設定画面１４００で排紙有無を設定可能にしてもよい。この実施形態では、初期設定において、印刷対象外のインデックス紙は排紙に設定されているものとして説明する。
【００３７】
また、この形態の画像形成装置１では、インデックス紙を用いた印刷が可能になっており、インデックス紙に関する設定を前記操作部１４０において行うことができる。
図４は、前記操作部１４０に操作可能に表示されるインデックス用紙設定画面１４１０を示すものである。該インデックス用紙設定画面１４１０では、インデックス用紙Ｎｏ．の設定が可能になっており、各Ｎｏ．毎に設定することができる。該設定画面では、インデックス用紙Ｎｏ．釦１４１１を押釦することでＮｏ．を入力することができる。また、用紙釦１４１２を押釦することで、用紙サイズを入力することができる。さらに耳数釦１４１３を押釦することで、タブの位置となる耳数を設定することができる。この設定画面では、インデックス用紙Ｎｏ．１について、用紙サイズＡ４、耳数５に設定されている。設定入力後、ＯＫ釦１４１４を押釦することで、設定が確定し、キャンセル釦１４１５を押釦することで、設定がキャンセルされる。
【００３８】
さらに、この形態では、ページ単位での設定が可能になっており、図５は、前記操作部１４０に操作可能に表示されるページ単位設定画面１４２０を示すものである。この図では、ページ番号釦１４２１を押釦することで、対象ページを設定することができる。（ａ）は第３ページ、（ｂ）は第４ページの設定画面である。該設定画面では、印刷種類釦１４２２を有しており、該印刷種類釦１４２２を押釦することで、「本文」、「白紙挿入」などを選択設定する。給紙トレイ釦１４２３は、用紙が給紙される給紙トレイを選択設定する釦であり、該給紙トレイ釦１４２３を押釦することで、給紙トレイ番号を入力することが可能になる。この例では、Ｎｏ．１の給紙トレイに本文用の用紙が収納され、Ｎｏ．２の給紙トレイにＮｏ．１のインデックス用紙が収納されている。
【００３９】
インデックス用紙釦１４２４は、印刷種類で白紙挿入が選択された際に、インデックス用紙の使用の有無、インデックス用紙番号の設定を可能にするものである。インデックス用紙釦１４２４が押釦すると、リストによってインデックス用紙の使用なし、または選択可能なインデックス用紙番号が表示され、選択が可能になる。見出し位置釦１４２５は、インデックス用紙が選択されている場合、見出し位置の設定をするものであり、インデックス用紙番号にしたがって、選択可能な見出し位置がリスト表示され、選択可能になる。
図では、３頁目は本文印刷であり、４ページ目はインデックス用紙Ｎｏ．１を使用しており、見出し位置が５個中で１番目に設定されている。
【００４０】
次に、特定範囲の確認印刷の際に、印刷対象外のインデックス用紙を排紙する手順を図６のフローチャートを参照して説明する。なお、以下の手順は、制御部によって実行される。
確認印刷がスタートすると、確認印刷指定ページにインデックス用紙使用ページが含まれるか否かの判定がなされる（ステップｓ１）。インデックス用紙使用ページが含まれなければ（ステップｓ１、ＮＯ）、通常の確認印刷出力を開始する（ステップｓ３）。
一方、ステップｓ１で、確認印刷指定ページにインデックス用紙使用ページが含まれていると判定されると（ステップｓ１、ＹＥＳ）、インデックス用紙トレイの先頭用紙を本出力時に使用する用紙に合わせる（ステップｓ２）。その後は、確認印刷出力を開始する（ステップｓ３）。
【００４１】
インデックス用紙給紙トレイの先頭用紙を本出力で使用する用紙に合わせる具体的な手順を図７のフローチャートに基づいて説明する。なお、以下の手順も、制御部によって実行される。
カウンタを初期化する（Ｃｎｔ＝１：ステップｓ１０）。次いで、Ｃｎｔページ目が確認印刷範囲内のページか否かの判定を行う（ステップｓ１１）。Ｃｎｔページ目が確認印刷範囲内のページであれば（ステップｓ１１、ＹＥＳ）、処理を終了する。この状態では、確認出力で使用する最初のインデックス用紙がインデックス用紙給紙トレイの先頭にセットされている。
Ｃｎｔページ目が確認印刷範囲内のページでなければ（ステップｓ１１、ＮＯ）、Ｃｎｔページ目がインデックス用紙使用ページか否かの判定を行う（ステップｓ１２）。Ｃｎｔページ目がインデックス用紙使用ページでなければ（ステップｓ１２、ＮＯ）、Ｃｎｔをインクリメントし（ステップｓ１４）、ステップｓ１１に戻る。この状態では、インデックス用紙の順番に影響を与えないので、単純にカウンタを進める。
Ｃｎｔページ目がインデックス用紙使用ページであれば（ステップｓ１２、ＹＥＳ）、インデックス用紙トレイの先頭用紙を確認印刷と区別して別排紙する（ステップｓ１３）。
例えば、印刷対象外のインデックス用紙を後処理装置（ＦＮＳ）１８０に備える第２排紙口１８３に排紙し、確認印刷の用紙を第１排紙口１８２に排紙するようにする。その後、Ｃｎｔをインクリメントし（ステップｓ１４）、ステップｓ１１に戻る。
【００４２】
上記手順では、ジョブのページ情報を先頭から順番に参照して、確認印刷前のインデックス用紙を順次排紙したが、確認印刷前のインデックス用紙の枚数をカウントし、その枚数分をまとめて排紙するようにしてもよい。
また、図８に示すようにインデックス用紙使用ページのページ情報作成時に、対象ジョブで使用される何番目のインデックス用紙であるかというインデックス順番情報を付加しておき、確認印刷時に該インデックス順番情報を参照して、印刷対象外として排紙するインデックス用紙を決定するようにしてもよい。図８では、本出力の３頁目、５頁目、７頁目がインデックス用紙に割り当てられており、それぞれインデックス順番情報が付与されている。例えば、４頁目、５頁目を確認印刷する場合、確認印刷における最初のインデックス用紙の順番情報はＮｏ．２であるので、その一つ前のＮｏ．１のインデックス用紙までを印刷対象外として排紙するように決定することができる。
【００４３】
印刷対象外としてインデックス用紙を排紙して確認印刷をした際の印刷状態を図９に示す。
インデックス用紙を積載した給紙トレイでは、（ａ）に示すようにインデックス用紙がタブ１〜タブ５となるように順序付けされて積載されており、本出力では積載された順序で適時インデックス用紙が給紙されて使用される。（ｂ）は、本文にインデックス用紙を挿入して印刷する印刷順序を示しており、この例では、３頁目（タブ１）、５頁目（タブ２）、７頁目（タブ３）に順次インデックス用紙が使用される。
この例で、確認印刷としてジョブ中の４頁目と５頁目を印刷する場合について説明する。本出力では（ｂ）に示すように本文と、タブ２の２枚目のインデックス用紙が順次印刷される。
確認印刷に先だって、インデックス用紙給紙トレイにある印刷対象外のインデックス用紙（タブ１）が別排紙される。
確認印刷では、（ｃ）に示すように本文と先頭にあるインデックス用紙が順次印刷される。先頭のインデックス用紙はタブ２の用紙であり、タブ位置（耳位置）が同じ用紙すなわち、本出力とは同じインデックス用紙が使用されており、確認印刷としての目的を達成することができる。
【００４４】
以上、本発明について説明を行ったが、本発明は上記説明の内容に限定されるものではなく、本発明の範囲を逸脱しない限りは適宜の変更が可能である。
【符号の説明】
【００４５】
１  画像形成装置
１ａデジタル複合機
１１３  画像制御ＣＰＵ
１４０  操作部
１５０  プリンタ部
１５１  画像形成部
１６２  第２給紙ローラー
１８０  後処理装置（ＦＮＳ）
１８２  第１排紙口
１８３  第２排紙口
【図１】
2011235591.tif 000003
【図２】
2011235591.tif 000004
【図３】
2011235591.tif 000005
【図４】
2011235591.tif 000006
【図５】
2011235591.tif 000007
【図６】
2011235591.tif 000008
【図７】
2011235591.tif 000009
【図８】
2011235591.tif 000010
【図９】
2011235591.tif 000011
【図１０】
2011235591.tif 000012